(57)【特許請求の範囲】
【請求項１】
板状のラベル本体と、
このラベル本体に設けられ全体として鼓形状のループをなすミシン目状の線を構成するスリットと、
前記ミシン目状の線のかど部に設けられた接続部と、
を具備したことを特徴とする開封防止ラベル。
【請求項２】
前記ラベル本体は、熱が印加されたことに対応して、前記スリット幅が広がる材料が使用されたこと
を特徴とする請求項１に記載の開封防止ラベル。
【請求項３】
前記ラベル本体は、塩化ビニール材が使用されたこと
を特徴とする請求項２記載の開封防止ラベル。
【発明の詳細な説明】
【技術分野】
【０００１】
本発明は、開封防止ラベルに関するものである。
更に詳述すれば、貼付時の作業性改善と引き剥がされるときに確実に破れる開封防止ラベルに関するものである。
【背景技術】
【０００２】
製品の内部構造を知る目的で製品を開封することがある．この製品開封を抑止する方法の一つとして、図２に示す如く、開封時に、最初に取りはずすことが必要な部品Ａとその接触している部品Ｂとの間に、剥がすと剥がしたことが分かるラベルＣを部品間に橋渡しをして貼付する。このラベルには、スリットがあり、剥がすときにはこのスリットから切れ目が広がり再使用が不可となるようにされている。
【０００３】
図３は従来より一般に使用されている従来例の要部構成説明図である。
図において、スリット２は、ラベル本体１の外周から、所定長さ切り込んで配置されている。
【先行技術文献】
【特許文献】
【０００４】
【特許文献１】特開平０８−２５４９５５号公報
【特許文献２】特開平１１−２９２１４１号公報
【特許文献３】特開２００１−００５３９２号公報
【特許文献４】特開２００１−３１５７９９号公報
【特許文献５】実用新案登録第３０９１６４４号公報
【発明の概要】
【発明が解決しようとする課題】
【０００５】
このような装置においては、以下の問題点がある。
製品に従来例の開封防止ラベルを貼付する作業者は、開封防止ラベルが貼付時に切れやすいので、切れないように注意しながらの取り扱いが必要である。また、注意しながら作業を行う為時間が掛かるという問題があった。
また、引きはがされた時には、そのラベルは確実に再利用できないことが必要であるが、貼付面とラベルの粘着力のバランスで、上手に剥がされてしまうと再利用が可能であった。
【０００６】
本発明の目的は、上記の課題を解決するもので、貼付の作業性を上げる為の改善と引きはがし時には確実に再利用ができないようになることであり、特に、貼付時の作業性改善と引きはがされるときに確実に破れる開封防止ラベルを提供することにある。
【課題を解決するための手段】
【０００７】
このような課題を達成するために、本発明では、請求項１の開封防止ラベルにおいては、
板状のラベル本体と、このラベル本体に設けられ全体として鼓形状のループをなすミシン目状の線を構成するスリットと、前記ミシン目状の線のかど部に設けられた接続部と、を具備したことを特徴とする。
【０００９】
本発明の請求項２の開封防止ラベルにおいては、請求項１記載の開封防止ラベルにおいて、
前記ラベル本体は、熱が印加されたことに対応して、前記スリット幅が広がる材料が使用されたことを特徴とする。
【００１０】
本発明の請求項３の開封防止ラベルにおいては、請求項２記載の開封防止ラベルにおいて、
前記ラベル本体は、塩化ビニール材が使用されたことを特徴とする。
【発明の効果】
【００１１】
本発明の請求項１によれば、次のような効果がある。
ラベル本体の外周の外縁部分には、切欠きがないので、貼付作業時において形がくずれないことにより、貼付作業効率が向上できる開封防止ラベルが得られる。
製品から剥がす時に、切れやすい形状にすることの前提条件下において、様々なラベル材料や粘着力をもつラベルの選択が可能になり、材料や粘着力の選択性が向上された開封防止ラベルが得られる。
【００１２】
材料や粘着力の選択性が向上されたので、貼付対象が広がることにより、適材適所が可能となることでコストメリットが容易に確保できる開封防止ラベルが得られる。
従来例の開封防止ラベルは、汎用性が求められるので、粘着力は弱く、貼付対象が限定的となる。
【００１３】
ラベル本体に設けられ全体として鼓形状のループをなすミシン目状の線を構成するスリットが設けられたので、かど部が鋭角をなす様に構成されたので、鼓形状のループの外側部分が剥がされるときにかど部の接続部分が切れることにより、鼓形状のループの内側部分が確実に剥離されず、開封防止効果が向上された開封防止ラベルが得られる。
【００１４】
本発明の請求項２によれば、次のような効果がある。
ラベル本体は、熱が印加されたことに対応して、スリット幅が広がる材料が使用されたので、熱印加の状態も確認できる開封防止ラベルが得られる。
さらに、広がったスリットの幅を測れば、熱印可されたときの温度の概略を知ることができる開封防止ラベルが得られる。
【００１５】
本発明の請求項３によれば、次のような効果がある。
ラベル本体は、塩化ビニール材が使用されたので、塩化ビニール材は市場性があり安価容易に入手できる開封防止ラベルが得られる。
【図面の簡単な説明】
【００１６】
【図１】本発明の一実施例の要部構成説明図である。
【図２】従来の一般的説明図である。
【図３】従来より一般に使用されている従来例の要部構成説明図である。
【発明を実施するための形態】
【００１７】
以下本発明を図面を用いて詳細に説明する。
図１は本発明の一実施例の要部構成説明図である。
【００１８】
図１において、スリット１２は、板状のラベル本体１１に設けられ全体として鼓形状のループをなすミシン目状の線１３を構成する。
ミシン目状の線１３は、ラベル本体１１の鼓形状のループの外側部分１１１が剥離し易いように、かど部１４が鋭角をなす様に構成されている。
【００１９】
なお、この場合は、ラベル本体１１は、熱が印加されたことに対応して、スリット１２の幅が広がる材料が使用されている。
そのために、この場合は、ラベル本体１１は、塩化ビニール材が使用されている。
接続部１５は、ミシン目状の線１３のかど部１４に設けられ、この部分には、スリット１２が存在せず、ミシン目状の線１３の内側と外側とが繋がっている。
【００２０】
以上の構成において、製品に貼付時にはラベル１０が一体感を充分に保ちながら貼付が可能である。
そして、引き剥がし時には、確実に、ラベル１０が破れる形状となる。
より具体的には、スリット１２がラベル外形と交わらないように外形より内側にあることにより、離形紙からはがすときには形がくずれない．
【００２１】
そして、貼付された後に、開封防止ラベル１０を剥がす時には、閉曲線の外側部分１１１が先に剥がれて、その後に閉曲線１３の内側が剥がれる。
このときに、ラベル１０の粘着力と接続部１５の寸法、ラベル材料の強度の組み合わせ条件により、接続部１５の部分が、切れることにより、スリット１２の外側と内側に一部が分断され、このラベルが再生不可能となる。
【００２２】
この接続部１５の部分は、図１に示す如く、ラベル１０のどの方向ａ，ｂ，ｃからも引き剥がそうとしても切断される。
他の３個所の接続部１５の部分でも同様である。
【００２３】
この結果、
ラベル本体１１の外周の外縁部分には、切欠きがないので、貼付作業時において形がくずれないことにより、貼付作業効率が向上できる開封防止ラベルが得られる。
製品から剥がす時に、切れやすい形状にすることの前提条件下において、様々なラベル材料や粘着力をもつラベルの選択が可能になり、材料や粘着力の選択性が向上された開封防止ラベルが得られる。
【００２４】
材料や粘着力の選択性が向上されたので、貼付対象が広がることにより、適材適所が可能となることでコストメリットが容易に確保できる開封防止ラベルが得られる。
従来例の開封防止ラベルは、汎用性が求められるので、粘着力は弱く、貼付対象が限定的となる。
【００２５】
ミシン目状閉曲線１３は、ラベル本体１１の閉曲線の外縁部分が剥離し易いように、かど部１４が鋭角をなす様に構成されたので、閉曲線１３の外縁部分が剥がされるときにかど部１４の接続部分が切れることにより、閉曲線１３の内側部分が確実に剥離されず、開封防止効果が向上された開封防止ラベルが得られる。
【００２６】
ラベル本体１１は、熱が印加されたことに対応して、スリット幅が広がる材料が使用されたので、熱印加の状態も確認できる開封防止ラベルが得られる。
さらに、広がったスリットの幅を測れば、熱印可されたときの温度の概略を知ることができる開封防止ラベルが得られる。
【００２７】
ラベル本体１１は、塩化ビニール材が使用されたので、塩化ビニール材は市場性があり安価容易に入手できる開封防止ラベルが得られる。
【００２８】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００２９】
１      ラベル本体
２      スリット
１０    ラベル
１１    ラベル本体
１１１  線の外側部分
１２    スリット
１３    線
１４    かど部
１５    接続部
Ａ      部品
Ｂ      部品
Ｃ      ラベル
【図１】
0005413812.tif 000002
【図２】
0005413812.tif 000003
【図３】
0005413812.tif 000004